(57)【要約】      （修正有）【課題】浮上油を効率よく吸い込むことができる浮上油回収装置、吸油装置及び吸い込み冶具を提供する。【解決手段】吸い込み冶具は６、円盤と、前記円盤上に立設された複数の固定細棒と、前記複数の固定細棒上に固定された吸引管と、を備える。また、吸油装置５は、導油管７と、該導油管の先端に固定した上記吸い込み冶具６と、を備える。さらに、浮上油回収装置１は、バキュームを備える油回収タンク１０５と、上記吸油装置５の導油管７とを、フレキシブルホース１１で連結した。【選択図】図１
2010075918.tif 000002
【特許請求の範囲】
【請求項１】
円盤と、
前記円盤上に立設された複数の固定細棒と、
前記複数の固定細棒上に固定された吸引管と、
を備える吸い込み冶具。
【請求項２】
前記吸引管内部に、前記円盤から突出した複数の細管を有する請求項１に記載の吸い込み冶具。
【請求項３】
前記吸引管の側部に取り付け具を設けた請求項１または２に記載の吸い込み冶具。
【請求項４】
半球状フロートと、
前記半球状フロート中または前記半球状フロート上に放射状に伸びた複数の円筒状の吸引管と、
を備える吸い込み冶具。
【請求項５】
導油管と、
該導油管の先端に固定した、請求項１乃至３のいずれかに記載の吸い込み冶具と、
を備える吸油装置。
【請求項６】
先端がフロートに連結された支持棒を下端部に接合させ、側部に高さ調整ハンドルを有する固定具を、
前記導油管の任意の位置に固定し得る請求項５に記載の吸油装置。
【請求項７】
バキュームを備える油回収タンクと、請求５または６に記載の吸油装置の導油管とを、フレキシブルホースで連結した浮上油回収装置。
【請求項８】
バキュームを備える油回収タンクと、請求４に記載の吸い込み冶具の複数の円筒状の吸引管とを、フレキシブルホースで連結した浮上油回収装置。
【請求項９】
油回収タンクと、請求５または６に記載の吸油装置の導油管とを、電動ポンプを介してフレキシブルホースで連結した浮上油回収装置。
【請求項１０】
前記油回収タンクの外部に、ヒーターを設置した請求項９に記載の浮上油回収装置。
【発明の詳細な説明】
【技術分野】
【０００１】
本発明は、浮上油を効率よく汲み上げることが可能な浮上油回収装置、該装置に用いる吸油装置及び吸い込み冶具に関する。
【背景技術】
【０００２】
レストラン、食堂などの厨房から排出される汚水は、直接下水に排出するのではなく、浄化槽のグリストラップ（グリス（油）をトラップ（せき止め）する）で浄化してから排出する義務がある。しかしながら、グリストラップは廃食油を一旦せき止めるだけで、そのまま放置しておくと油脂分や汚泥が溜まり、悪臭や配管の詰まり、害虫の発生などの汚染の原因となる。
【０００３】
グリストラップでせき止められた油は、通常清掃業者がバキューム吸引を行うことにより処理しているが、この作業は、油の粘度が強く、手間や時間がかかる。また、室内に臭気が充満したり、バキューム費用がかかるなど問題が多い。
【０００４】
グリストラップの浮上油を回収する装置としては、最初からグリストラップと一体化しているものや、吸込み部がある程度沈んでいて油と共に水も回収してしまうもの、バクテリアや酵素などで油脂分解を行うものなどが実用化されている（特許文献１等）。しかしながら、実用化されている浮上油回収装置は、水を一緒に吸い込むため後処理装置が必要であったり、吸い込み口が詰まったり、浮上油が寄ってこなかったり、浮上油を優先的に吸い込む構造になっていないなど問題が多い。
【０００５】
また、船の座礁などがおきたときには、大量の油が海面に浮遊することとなるが、海面に浮かんだ油も効率よく回収できるものが好ましい。
【０００６】
【特許文献１】特開２００６−１４２１９４号公報
【発明の概要】
【発明が解決しようとする課題】
【０００７】
従来の浮上油回収装置は、浮上油のみを効率よく吸い込むことができなかったり、浮上油を吸い込んでいる途中で吸い込み口が油で詰まることが多かった。
【０００８】
そこで、本発明では浮上油を効率よく吸い込むことができる浮上油回収装置、吸油装置及び吸い込み冶具を提供することを目的とする。
【課題を解決するための手段】
【０００９】
本発明に係る吸い込み冶具は、円盤と、前記円盤上に立設された複数の固定細棒と、前記複数の固定細棒上に固定された吸引管と、を備える。
【００１０】
本発明に係る吸い込み冶具は、前記吸引管内部に、前記円盤から突出した複数の細管を有し得る。
【００１１】
本発明に係る吸い込み冶具は、前記吸引管の側部に取り付け具を設けてもよい。
【００１２】
本発明に係る吸い込み冶具は、半球状フロートと、前記半球状フロート中または前記半球状フロート上に放射状に伸びた複数の円筒状の吸引管と、を備え得る。
【００１３】
本発明に係る吸油装置は、導油管と、該導油管の先端に固定した、上記吸い込み冶具と、を備える。
【００１４】
本発明に係る吸油装置は、先端がフロートに連結された支持棒を下端部に接合させ、側部に高さ調整ハンドルを有する固定具を、前記導油管の任意の位置に固定し得る。
【００１５】
本発明に係る浮上油回収装置は、バキュームを備える油回収タンクと、上記吸油装置の導油管とを、フレキシブルホースで連結したものである。
【００１６】
本発明に係る浮上油回収装置は、バキュームを備える油回収タンクと、上記吸い込み冶具の複数の円筒状の吸引管とを、フレキシブルホースで連結してもよい。
【００１７】
本発明に係る浮上油回収装置は、油回収タンクと、上記吸油装置の導油管とを、電動ポンプを介してフレキシブルホースで連結したものであり得る。
【００１８】
本発明に係る浮上油回収装置は、前記油回収タンクの外部に、ヒーターを設置してもよい。
【発明の効果】
【００１９】
本発明の浮上油回収装置は、吸引管下端と円盤間の隙間部分が浮上油層中に来るように調整できるため、浮上油を効率よく寄せて吸い込むことができる。すなわち、吸い込み冶具の液面への高さ調節が可能であるため、浮上油のみを吸い込むことができる。
【００２０】
また、本発明の浮上油回収装置は上から吸い込む構造のため、吸い込み口が油で詰まらない利点がある。さらに、フロートを吸油装置に取り付ける構造のため、液面の変化に追随することができ、目視用アダプターを設置することにより、吸い込んでいる油の状態を観察することができる。
【００２１】
また、吸い込み冶具は吸油装置に取り外し可能に固定されるため、吸引する油の種類・状態に応じて適宜異なるサイズ、種類のものに交換することができる。したがって、例えば海面に浮かんでいる油に対しても、吸い込み冶具を交換することにより、浮上油を効果的に吸い込むことが可能である。
【図面の簡単な説明】
【００２２】
【図１】本発明に係る浮上油回収装置の一実施形態を示す概略図。
【図２】本発明に係る吸油装置の正面図。
【図３】本発明に係る固定板の断面図。
【図４】本発明に係る吸い込み冶具の斜視図。
【図５】本発明に係る浮上油回収装置の第２の実施形態を示す概略図。
【図６】本発明に係る浮上油回収装置の第３の実施形態を示す概略図。
【図７】本発明に係る第３の実施形態である海面用吸い込み冶具の（ａ）平面図、（ｂ）正面図
【発明を実施するための形態】
【００２３】
本発明の浮上油回収装置１は、図１のように、吸油装置５と油回収タンク１０５により構成される。吸油装置５と油回収タンク１０５とはフレキシブルホース１１を介して連結されている。吸油装置５で吸い込まれた油はフレキシブルホース１１を通って油回収タンク１０５へと運ばれる。フレキシブルホース１１の材質は特に限定されない。
【００２４】
吸油装置５は、図２のように、導油管７と、導油管７の先端に取り付けられた吸い込み冶具６とから構成される。吸い込み冶具６は、導油管７と吸引管５１を介して接続され、取り付け具５５により固定される。また、吸油装置５は、導油管７の吸い込み冶具６とは逆側の端部にはフレキシブルホース１１が取り付け可能であり、固定板１５に固定するための固定具８、および、フロート１６を導油管７に固定するための固定具９を取り付け可能である。
【００２５】
固定板１５は、図１のように、グリストラップ１０内に水平に固定さていることが好ましい。グリストラップ１０上に固定板１５を掛けることができる場合は、当該固定板１５を掛けることができる位置に固定板１５を設置すればよい。
【００２６】
図３は、固定板１５の断面図である。固定板１５の中央には、吸油装置５の導油管７に嵌合する穴が設けられ、導油管７を固定具８により、固定することができる。固定具８に取り付けられた高さ調整ハンドル１３を操作することによって、導油管７（吸油装置５）を上下に移動させ固定板１５に固定することができる。
【００２７】
図２に示すように、上記固定具９の下端部には支持棒１８を接合させ、支持棒１８の先端にフロート１６を接合することが好ましい。支持棒１８の数はフロート１６の数と同数となるが、複数のフロート１６が備えられていることが好ましい。支持棒１８の材質は特に制限されず、フロート１６は油に浮かぶ材質であれば特に制限されない。また、フロート１６の形状も特に制限されないが好ましくは球形である。固定具９に設けられた高さ調整ハンドル１４を操作することにより、フロート１６と吸い込み冶具６の相対位置を調整することができる。
【００２８】
以上のように、吸油装置５は、グリストラップ１０に水平に設置された固定板１５によって支持され、高さ調整ハンドル１３、１４を適宜操作することにより、吸い込み冶具６を適切な位置に移動させることができる。すなわち、吸い込み冶具６を液面１７下の油層に位置させて、効果的に油のみを吸引することができる。
【００２９】
フレキシブルホース１１と吸油装置５の間には目視用アダプター１２を備えることができる。目視用アダプター１２を備えることにより、吸い込んでいる油の状態を観察することが可能となる。
【００３０】
吸い込み冶具６で吸い込まれた油は導油管７を通って、フレキシブルホース１１へと運ばれ、最終的に油回収タンク１０５へと吸引される。
【００３１】
次に、吸い込み冶具６について図４を用いて説明する。上記のように、吸い込み冶具６は、吸油装置５の導油管７の先端に、取り付け具５５により着脱可能に固定される。
【００３２】
吸い込み冶具６は、図４に示すように、円盤５４と、円盤５４上に複数の固定細棒５２を介して立設された吸引管５１と、吸引管５１内部に円盤５４から立設された複数の細管５３と、から構成される。回収する油の種類によっては、細管５３を省略することができる。吸引管５１は、導油管７と嵌合し、例えば吸引管５１の側部に設けられた取り付け具５５により導油管７に固定される。
【００３３】
すなわち、吸い込み冶具６は、円盤５４上の複数の固定細棒５２の上に固定された吸引管５１を有し、吸引管５１内に円盤５４から突出した複数の細管５３を有する構造となっていることが好ましい。円盤５４の厚さは特に制限されないが、好ましくは約０．１〜１．０ｃｍである。円盤５４の大きさは特に制限されないが、直径約５ｃｍ〜３０ｃｍが好ましい。固定細棒５２は円盤５４と吸引管５１とを連結するものであり、複数本備えられているのが好ましく、長さは円盤５４の直径の半分程度が好適である。吸引管５１の内径は導油管７と嵌合するように決定され、その外直径は特に制限されないが、約２ｃｍ〜２０ｃｍが好ましい。吸引管５１、固定細棒５２、細管５３、円盤５４の材質は特に制限されないが、鉄、ステンレスなどが好ましい。吸引する油の種類・状態に応じて、複数のサイズ・形状の吸い込み冶具６から最適な吸い込み冶具６を選択することができる。
【００３４】
そして、吸引管５１内には、円盤５４から突出した複数の細管５３を備えていることが好ましい。細管の数は好ましくは２〜５本である。上記のように、この複数の細管５３は必ず備えなければならないものではなく、油の種類によっては、細管５３を備えなくてもよい。油の種類によっては円盤５４から突出した複数の細管５３を備えることにより、油の吸い込みが悪くなることがあるためである。
【００３５】
本発明の吸い込み冶具６はこの円盤５４を油層の約０．５〜１．５ｃｍ程下の水層に設置し、円盤５４と吸引管５１の間に油層がくるようにすれば、油回収タンク１０５のバキューム１０８で吸い込むことにより、浮上油は吸引管５１から導油管７、フレキシブルホース１１を介して油回収タンク１０５へと回収することができる。
【００３６】
次に、本発明に係る第２の実施形態について、図５を用いて説明する。但し、本第２の実施形態において、吸い込み冶具６（吸油装置５）と、これをグリストラップ１０に固定する固定板１５等の構成は、上記実施形態と同様であるので、説明は省略する。
【００３７】
本実施例の浮上油回収装置２は、油回収タンク２０５と、吸油装置５の導油管７とを、電動ポンプ７０を介してフレキシブルホース１１で連結する。電動ポンプ７０により、グリストラップ１０から吸油装置５によって吸引された油は、やはり電動ポンプ７０の動力により、フレキシブルホース１１を介して油回収タンク２０５へ送られる。
【００３８】
油回収タンク２０５は、単なる回収槽２１０であってよく、あるいは図示しない吸引装置を備えていてもよい。回収槽２１０の形状は、上部が円筒型で、下部がノズル部分にバルブ２１２を備えたジョーロ型であるのが、油収拾の上で望ましい。回収槽２１０の周囲にはヒーター２１１を設置して、半固体化あるいは粘性の増した油を流体化するのが好ましい。
【００３９】
以上のように、回収槽２１０の真下に置いた回収容器２１３に、グリストラップ１０内の浮上油を回収することができる。
【００４０】
また、海面に浮いている浮上油を回収する場合は、吸い込み冶具６を取り替えることで広い海に漂っている油を効果的に回収することができる。本発明の第３の実施形態の浮上油回収装置３は、図６に示すように、油回収タンク１０５と吸い込み冶具６０とはフレキシブルホース１１を介してつながっている。本発明の実施形態の吸い込み冶具６０は、図７（ａ）、（ｂ）に示すように、フレキシブルホース１１に半球状フロート６６が取り付けられ、半球状フロート６６中またはその上下に放射状に伸びた複数の円筒状の吸引管６１がフレキシブルホース１１に接続されている。放射状に接続された複数の吸引管６１により海面の浮上油を吸い込むことができる。半球状フロート６６の大きさは特に制限されないが、好ましくは約１．２ｍ〜３．０ｍである。また、半球状フロート６６の材質も水に浮き、波の力に負けない、海水の塩分に対応できる材質であれば、特に制限されない。
【００４１】
吸引管６１の数も特に制限されないが、好ましくは６本から２０本である。また、吸引管６１の大きさも特に制限されない。油を吸い取る側の吸引管６１の先端は、平均海面と略水平となるように斜めに切り落とした形状であることが好ましい。なお、フレキシブルホース１１と吸い込み冶具６０は直接接続している必要はなく、フレキシブルホース１１と吸い込み冶具６０との間に、両者を接続するための導油管を介してもよい。
【００４２】
本実施形態の浮上油回収装置３における油回収タンク１０５はバキューム１０８を備えていることが好ましい。バキューム１０８はフレキシブルホース１１を介して吸い込み冶具６０に接続される。バキューム１０８により、浮上油を吸い込み冶具６０より吸引し、フレキシブルホース１１を介して油回収タンク１０５へ回収する。動力は太陽光を利用することが好ましい。
【００４３】
本実施形態における油回収タンク１０５は、上述の最初の実施形態と同様な構造であってよく、船上や海上基地等に設置される。油回収タンク１０５は、図１に示すように、油と水を判別する油・水検知器１０９を備えていることが好ましい。油・水検知器１０９を備えていることで油層と水層を判別することができる。本発明の浮上油回収装置は、油のみを優先的に吸い込むことができるが、どうしても少ないながら水も吸い込んでしまうことがある。従って、吸い込んでしまった水と油とを判別する油・水検知器１０９を備えていることが好ましい。また、油・水検知器１０９と共に、水層を油回収タンク外へ排出する排出部１１０を備えていることが好ましい。水層は排出部１１０から油回収タンク外排出することにより、油回収タンクには油層のみが残ることとなる。最終的には、この油層は排出部１１０より油回収タンク外へ排出することもできる。
【実施例１】
【００４４】
以下実施例を挙げて本発明をさらに詳しく説明するが、本発明はこれらの実施例により何ら制限されるものではない。
【００４５】
図１に示されるように、吸油装置５と油回収タンク１０５を備えた浮上油回収装置１を作製した。吸油装置５と油回収タンク１０５はフレキシブルホース１１で接続されている。
【００４６】
浮上油回収装置１には、制御盤１１１が備えられバキューム１０８の運転、油・水検知器１０９での油層と水層の検知などが自動で行われる。
【００４７】
吸油装置５は、フレキシブルホース１１に接続された吸引管５１の先端部に三連のフロート１６が取り付けられている。また、図４に示されるように、円盤５４上の３本の固定細棒５２の上に立設された吸引管５１を有し、該吸引管５１内に円盤５４から突出した４本の細管５３を有する吸い込み冶具６を作製し、吸油装置５の導油管７の先端に取り付けた。
【００４８】
本実施例の吸油装置５は、円盤５４の厚さは約０．５ｃｍ、円盤５４の直径は約８ｃｍ、固定細棒５２の長さは約４ｃｍとし、その外直径は約５ｃｍとした。また、吸引管５１、固定細棒５２、細管５３、円盤５４の材質はステンレスとした。
【００４９】
グリストラップ１０に固定板１５を固定し、吸い込み冶具６をグリストラップ１０の油層へ設置し、バキューム１０８で吸い込むことにより、油層が円盤５４と吸引管５１の間からフレキシブルホース１１を通って油回収タンクへと回収された。
【００５０】
以上、本発明にかかる浮上油回収装置、吸油装置及び吸い込み冶具について説明したが、本発明は上記実施形態、実施例に限定されるものではない。本発明は、その他、その主旨を逸脱しない範囲で当業者の知識に基づき種々の改良、修正、変更を加えた態様で実施できるものである。
【産業上の利用可能性】
【００５１】
グリストラップに溜まった浮上油のみを効率よく回収することができ、また、コンパクトでメンテナンスが容易なため、導入が簡単であり、外食産業におけるグリストラップの油を回収するのに役立つ。また、吸い込み冶具を交換することにより、海面に浮かんだ油も容易に回収することが可能であり、船の座礁等により漏れた油の回収に役立つ。
【符号の説明】
【００５２】
１、２、３：浮上油回収装置
５：吸油装置
６、６０：吸い込み冶具
７：導油管
８、９：固定具
１０：グリストラップ
１１：フレキシブルホース
１２：目視用アダプター
１３、１４：高さ調整ハンドル
１５：固定板
１６、１０６：フロート
１７、１０７：液面
１８：支持棒
５０：油滴
５１、６１：吸引管
５２：固定細棒
５３：細管
５４：円盤
５５：取り付け具
６６：半球状フロート
７０：電動ポンプ
１０５、２０５：油回収タンク
１０８：バキューム
１０９：油・水検知器
１１０：排水部
１１１：制御盤
２１０：回収槽
２１２：バルブ
２１３：回収容器
【図１】
2010075918.tif 000003
【図２】
2010075918.tif 000004
【図３】
2010075918.tif 000005
【図４】
2010075918.tif 000006
【図５】
2010075918.tif 000007
【図６】
2010075918.tif 000008
【図７】
2010075918.tif 000009